(57)【要約】【課題】太陽電池モジュールから延びるケーブルを屋根面に這わせることなく屋根面に設けた開口を通して小屋裏に引き込む構成において、小屋裏に引き込まれるケーブルを収まりよく保持することができ、当該引き込み部分における防水面での問題がなく、施工も容易な配線処理機能を有する屋根面換気材を提供することを課題とする。【解決手段】一側面から反対側側面に抜ける通気路１ａを多数縦横に連設して成る通気部材１と、通気部材１を被覆するカバー材２とから成り、カバー材２に保持された状態において通気部材１の端部又は中間部に、屋根面に設置される太陽電池モジュールから延びるケーブル１１の挿通が可能な空隙部９が確保される。通例、ケーブル１１は、空隙部９に配備されるケーブル支持材１２によって担持される。【選択図】図２
2014088698.tif 000002
【特許請求の範囲】
【請求項１】
一側面から反対側側面に抜ける通気路を多数縦横に連設して成る通気部材と、前記通気部材を被覆するカバー材とから成り、前記カバー材に保持された状態において前記通気部材の端部又は中間部に、屋根面に設置される太陽電池モジュールから延びるケーブルの挿通が可能な空隙部が確保されていることを特徴とする配線処理機能を有する屋根面換気材。
【請求項２】
前記空隙部にケーブル支持材が嵌合され、前記ケーブル支持材によって前記ケーブルが支持される、請求項１に記載の配線処理機能を有する屋根面換気材。
【請求項３】
前記ケーブル支持材は弾性を有する樹脂製であって、その上面において前記ケーブルを担持する、請求項２に記載の配線処理機能を有する屋根面換気材。
【請求項４】
前記ケーブル支持材は弾性を有する樹脂製であって、その上面から中程まで切れ目が入れられ、前記ケーブルを前記切れ目に落とし込んで担持する、請求項２に記載の配線処理機能を有する屋根面換気材。
【請求項５】
前記ケーブル支持材は、前記通気部材の一端面に固定される、請求項２乃至４のいずれかに記載の配線処理機能を有する屋根面換気材。
【請求項６】
前記通気部材の下面に水切りが配設される、請求項１乃至５のいずれかに記載の配線処理機能を有する屋根面換気材。
【請求項７】
前記ケーブル支持材は、前記水切りに固定される、請求項６に記載の配線処理機能を有する屋根面換気材。
【発明の詳細な説明】
【技術分野】
【０００１】
本発明は、配線処理機能を有する屋根面換気材、より詳細には、瓦葺の家屋の屋根面の躯体換気を行うために屋根面に設置される換気材であって、換気材としての機能の他に、屋根面に設置される太陽電池モジュールのケーブルを納まりよく保持する配線処理機能を有する屋根面換気材に関するものである。
【背景技術】
【０００２】
近年、建築される建物の多くは、室内からの湿った空気を室外に流出させるために、外壁と内壁の間に通気層及び軒下に有孔板を有する構造となっている。この通気層並びに軒下有孔板内に流入した空気は、小屋裏を通して外部に流出させるが、そのために、従来より小屋裏には種々の形状を有する換気口が設けられ、あるいは、換気装置が配備されている。
【０００３】
また、近年、ＣＯ２  削減の観点から太陽光発電が普及し、小規模発電として、一般家庭において採用される例も急増している。一般家庭の場合は、太陽電池モジュールが屋根面に設置されることになる。即ち、主に家屋の屋根に設置される太陽電池モジュールで太陽光を受けて発電し、太陽電池モジュールから延びるケーブルを介し、家屋の壁面等に設置されるパワーコンディショナーへ送電され、屋内に設置される屋内分電盤へと送電される。
【０００４】
この太陽電池モジュールから延びるケーブルは一般に、ケーブルカバーで被覆した状態で屋根面を這わせ、ケラバを回り込ませる等の方法で室内に引き込むが、その方法によった場合は、屋根面にケーブルカバーが剥き出しとなるために見た目が悪いものとなるだけでなく、ケーブルカバーが風雨及び直射日光に晒されて経時劣化・損傷しやすく、一層外観が損なわれるだけでなく、修理交換の手間がかかるという問題がある。
【０００５】
このような問題に鑑み、ケーブルを屋根面に這わせることなく、屋根面に設けた開口を通して小屋裏に引き込む提案がなされた（特開２００３−３１４０１０号公報）。しかるに、その発明の場合は、ケーブルを引き込む開口から屋内に水が浸入するおそれがあるという問題があったため、その部分の防水面を考慮したケーブル引き込み構造の提案がなされている（特開２００５−２８１９８０号公報）。
【０００６】
しかし、そのケーブル引き込み構造の場合は、屋根面にケーブルを引き込む開口を設け、そこに防水部材を設置する必要があるところ、その防水部材は多くの部品で構成されるために設置に手間がかかり、また、当然のことながら、その設置工事は上記換気装置の施工とは別に行われることになる。
【先行技術文献】
【特許文献】
【０００７】
【特許文献１】特開２００３−３１４０１０号公報
【特許文献２】特開２００５−２８１９８０号公報
【発明の概要】
【発明が解決しようとする課題】
【０００８】
上述したように、従来提案されている、太陽電池モジュールから延びるケーブルを、屋根面に這わせることなく屋根面に設けた開口を通して小屋裏に引き込む構成の場合は、防水対策が十分ではないとか、防水部材が多くの部品で構成されるために設置に手間がかかり、また、換気装置の施工とは別に行われることになるため、作業コストが嵩むといった問題があった。
【０００９】
そこで本発明は、そのような問題のない、即ち、太陽電池モジュールから延びるケーブルを屋根面に這わせることなく屋根面に設けた開口を通して小屋裏に引き込む構成において、当該ケーブルの引き込みを換気材を利用して行うことを可能にし、以て、引き込んだケーブルを収まりよく保持することができ、当該引き込み部分における防水面での問題がなく、施工が容易な配線処理機能を有する屋根面換気材を提供することを課題とする。
【課題を解決するための手段】
【００１０】
上記課題を解決するための請求項１に記載の発明は、一側面から反対側側面に抜ける通気路を多数縦横に連設して成る通気部材と、前記通気部材を被覆するカバー材とから成り、前記カバー材に保持された状態において前記通気部材の端部又は中間部に、屋根面に設置される太陽電池モジュールから延びるケーブルの挿通が可能な空隙部が確保されていることを特徴とする配線処理機能を有する屋根面換気材である。
【００１１】
一実施形態においては、前記空隙部にケーブル支持材が嵌合され、前記ケーブル支持材によって前記ケーブルが支持される。前記ケーブル支持材は弾性を有する樹脂製であって、その上面において前記ケーブルを担持し、あるいは、その上面から中程まで切れ目が入れられ、前記ケーブルを前記切れ目に落とし込んで担持する。前記ケーブル支持材は、予め前記通気部材の一端面に固定しておくことができる。
【００１２】
また、一実施形態においては、前記通気部材の下面に水切りが配設される。  その場合、前記ケーブル支持材は、前記水切りに固定されることもある。
【発明の効果】
【００１３】
本発明に係る屋根面換気材は上述した通りであって、屋根面の換気材を兼ねたシンプルな構成であって、太陽電池モジュールから延びるケーブルを空隙部に通すことで、屋根面において収まりよく保持することができ、その引き込み部分における防水面での問題がなく、また、ケーブルの小屋裏内引き込みに、換気材用の野地板開口を利用することができるため、ケーブル用の野地板開口を別途設ける必要がなく、施工が容易という効果がある。
【００１４】
また、瓦屋根を通して小屋裏内に引き込まれる太陽電池モジュールから延びるケーブルを、外部に露出させることなく屋根面において収まりよく保持することができるので、ケーブルが露見して家屋の外観が損なわれるおそれがないという効果がある。
【図面の簡単な説明】
【００１５】
【図１】本発明に係る配線処理機能を有する屋根面換気材の構成を示す斜視図である。
【図２】本発明に係る配線処理機能を有する屋根面換気材の構成を示す分解斜視図である。
【図３】本発明に係る配線処理機能を有する屋根面換気材の施工状態を示す縦断面図である。
【発明を実施するための形態】
【００１６】
本発明を実施するための形態を添付図面に依拠して説明する。本発明に係る配線処理機能を有する屋根面換気材は、図１及び図２に示されるように、一側面から反対側側面に抜ける通気路１ａを多数縦横に連設して成る通気部材１と、通気部材１を被覆するカバー材２とから成り、カバー材２に保持された状態において通気部材１の端部又は中間部に、太陽電池モジュールのケーブル１１の挿通が可能な空隙部９が設けられていることを特徴としている。
【００１７】
カバー材２は、通例、金属板を折曲して形成され、通気部材１の上面に当接する天板３と、野地板２１に当接してそこにビス止め、釘止め等により固定される固定板４と、天板３と固定板４とを連結する長尺傾斜板５と、天板３から長尺傾斜板５とは反対の側に延出する短尺傾斜板６とから成る。また、両端部に、端面を閉塞する端板７が連設され、更に端板７に、野地板２１に当接してそこにビス止め、釘止め等により固定される固定板８が延設される。    
【００１８】
通気部材１は、その通気路１ａが短尺傾斜板６から長尺傾斜板５の方向に向くようにして天板３の裏面に配置されるが、その際、通気部材１の一端側に、瓦屋根上に設置される太陽電池モジュールから延びるケーブル１１を挿通することが可能な空隙部９が確保される。換言すれば、通気部材１の一端面を端板７から離隔させ、その空間を、ケーブル１１の挿通が可能な空隙部９とする。このように空隙部９は一端部に設けられることが多いが、通気部材１の中途に設けることとしてもよい。
【００１９】
通気部材１は、両面テープや接着剤を介して天板３の裏面に固定することとしてもよいが、通例、分離した状態にされる。また、通気部材１の下面に、一端が斜めに立ち上がった水切り１５が配設される。水切り１５は、予め、両面テープや接着剤を介して通気部材１の下面に固定されることもある。
【００２０】
一実施形態においては、空隙部９にケーブル支持材１２が嵌合され、ケーブル支持材１２によってケーブル１１が支持される（図２参照）。通例、ケーブル支持材１２は弾性を有する樹脂製であって、空隙部９の大きさに対応する直方体形状に形成される。ケーブル支持材１１は、予め通気部材１の端面、あるいは、水切り１５に固定しておくことができる。
【００２１】
ケーブル１１は、ケーブル支持材１２の上面に載せられて支持される。あるいは、ケーブル支持材１２の上面から中程にかけて切れ目１４が形成されることもあり、その場合ケーブル１１は、切れ目１４内に落とし込むことによって担持される。ケーブル支持材１２は、ケーブル１１をその上面において、あるいは、切れ目１４内において担持した状態で、空隙部９相当部に嵌め入れられる。かくしてケーブル１１は、ケーブル支持材１２に担持されて、空隙部９内に安定状態に保持される。
【００２２】
次に、上記構成の屋根面通気材の施工方法について説明する。この屋根面通気材は、瓦下野地面に設置されるものであって、その設置に先立ち、棟部の野地板２１上の瓦桟２２間に、瓦桟２２の長さ方向に延びる野地板開口２３が穿設される。次いで、太陽電池モジュールから延びるケーブル１１が、瓦に設けた透孔２４を通して瓦下に引き込まれる。透孔２４は、ケーブル１１を挿通した後、適宜シーリング材によって水密シールされる。
【００２３】
なお、透孔２４は、施工時において瓦に穿設されるが、当該施工個所に、配線用開口と引き込み用カバー２５とを備えた配線瓦を用いることとしてもよい（図３参照）。その場合は、透孔２４の穿設の手間が省ける。瓦下に引き込まれたケーブル１１は、ケーブル支持材１２に担持されて空隙部９相当部に配置されることになる。
【００２４】
本発明に係る屋根面通気材の施工に際しては、先ず、水切り１５を、両面テープや接着剤を介して野地板開口２３の下流側縁辺に沿って固定する。通気部材１と水切り１５とが一体化されている場合は、水切り１５の定着に伴って通気部材１も配置完了となる。両者が別体の場合は、通気部材１を、両面テープや接着剤を介して水切り１５上の定位置に固定する。そして、透孔２４から引き込んだケーブル１１を、ケーブル支持材１２の上面又は切れ目１４内に配し、ケーブル１１の端部を野地板開口２３内に垂下させる。
【００２５】
そして最後にカバー材２を、その固定板４を棟側にし、長尺傾斜板５が野地板開口２３の上にくるようにして通気部材１上に被せ、固定板４及び固定板８を野地板２１に固定して、本屋根面通気材の施工完了となる。この状態においてケーブル１１は、弾性を有するケーブル支持材１２が天板３によって圧縮されることで、確固とした状態に保持される。なお、透孔２４の位置は任意であって、必ずしも図３に示される位置とは限らない。
【００２６】
本発明に係る屋根面換気材はこのようにして設置されるため、太陽電池モジュールから延びるケーブル１１は、何ら露見させることなく瓦を通して引き込まれ、本屋根面換気材において収まりよく保持されて、小屋裏内に引き込まれる。そのため、ケーブル１１が屋根面に露見することで家屋の外観が損なわれるといった事態が発生することはない。
【００２７】
本発明に係る屋根面通気材の通気材としての機能は、従来のものと特に変わりはない。即ち、小屋裏から上昇してくる空気は、野地板開口２３を通り抜けて、長尺傾斜板５と通気部材１とで囲まれる空間内に抜け、そこから通気部材１の通気路１ａを通り抜けて瓦下空間に排出される。
【００２８】
また、ケーブル１１を引き込む透孔２４は、ケーブル１１を挿通した後、適宜シーリング材によって水密シールされるために、そこから水が浸入することが防止されるが、シーリング材の劣化等に伴って浸水することもあり得る。しかし、そこから浸水したとしても、浸入した水は、本屋根面通気材上に落ち、あるいは、野地板２１上に落ちるため、通常の気候状態において通気部材１側に流れることがなく、通気部材１の通気路１ａを通り抜けて野地板開口２３に達することはない。仮に、通気路１ａを通り抜けるようなことがあったとしても、水切り１５によってそれ以上の進行が確実に阻止される。
【００２９】
この発明をある程度詳細にその最も好ましい実施形態について説明してきたが、この発明の精神と範囲に反することなしに広範に異なる実施形態を構成することができることは明白である。従って、この発明は添付請求の範囲において限定した以外はその特定の実施形態に制約されるものではない。
【符号の説明】
【００３０】
１    通気部材
１ａ  通気路
２    カバー材
３    天板
４    固定板
５    長尺傾斜板
６    短尺傾斜板
７    端板
８    固定板
９    空隙部
１１    ケーブル
１２    ケーブル支持材
１４    切れ目
１５    水切り
２１    野地板
２２    瓦桟
２３    野地板開口
２４    透孔
２５    配線引き込み用カバー
【図１】
2014088698.tif 000003
【図２】
2014088698.tif 000004
【図３】
2014088698.tif 000005